(57)【要約】【課題】  連続撮影時に撮影された画像の写りの良否を確認しつつ撮影を進めることが出来る撮影装置を提供する。【解決手段】  本発明に係る撮影装置は、固体撮像素子１、ＬＣＤ８及び画像処理回路７を具えており、固体撮像素子１は、撮像面を構成する複数の画素の電荷を複数のフィールドに分けて読み出すことが可能である。該撮影装置においては、固体撮像素子１の撮像面を露光する処理と固体撮像素子１から前記複数の画素の電荷を読み出す処理と読み出された電荷から記録画像を作成する処理とを含む一連の撮影処理が繰り返され、画像処理回路７は、記録画像の作成処理前或いは作成処理後に、電荷読出し処理によって前記複数のフィールドの一部のフィールドで読み出された電荷から表示画像を作成してＬＣＤ８に出力する。【選択図】      図１
2007074475.tif 000002
【特許請求の範囲】
【請求項１】
静止画の撮影動作を繰り返す連続撮影動作が可能であって、複数の画素からなる撮像面を具えて該複数の画素の電荷を複数のフィールドに分けて読み出すことが可能な固体撮像素子と、固体撮像素子から前記複数の画素の電荷を読み出す駆動回路と、読み出された電荷から記録媒体に記録すべき記録画像を作成する信号処理回路とを具え、固体撮像素子の撮像面を露光する処理と固体撮像素子から前記複数の画素の電荷を読み出す処理と記録画像を作成する処理とを含む一連の撮影処理が繰り返される撮影装置において、固体撮像素子によって撮影した画像を表示する画像表示装置を具えており、前記信号処理回路は、記録画像の作成処理前或いは作成処理後に、電荷読出し処理によって前記複数のフィールドの一部のフィールドで読み出された電荷から表示画像を作成して前記画像表示装置に出力する表示画像処理手段を具えていることを特徴とする撮影装置。
【請求項２】
前記信号処理回路の表示画像処理手段は、電荷読出し処理中に表示画像の作成処理を行なう請求項１に記載の撮影装置。
【請求項３】
前記固体撮像素子は、前記複数の画素の電荷を３つのフィールドに分けて読み出すことが可能であって、前記信号処理回路の表示画像処理手段は、前記３つのフィールドの内、１つのフィールドで読み出された電荷から表示画像を作成する請求項１又は請求項２に記載の撮影装置。
【請求項４】
前記固体撮像素子は、前記複数の画素の電荷を４つのフィールドに分けて読み出すことが可能であって、前記信号処理回路の表示画像処理手段は、前記４つのフィールドの内、２つのフィールドで読み出された電荷から表示画像を作成する請求項１又は請求項２に記載の撮影装置。
【発明の詳細な説明】
【技術分野】
【０００１】
本発明は、ＣＣＤ等から構成される固体撮像素子を具えたデジタルスチルカメラ等の撮影装置に関するものである。
【背景技術】
【０００２】
従来、ＣＣＤからなる固体撮像素子及びＬＣＤ(液晶ディスプレイ)からなる画像表示装置を具え、固体撮像素子によって撮影した画像(動画)を画像表示装置に表示するモニタモードの設定が可能なデジタルスチルカメラが知られている。
この種のデジタルスチルカメラは、撮像面を構成する複数の画素の内、例えば８ライン中１ラインの割合で複数の画素の電荷を読み出す間引き読出しモードの設定が可能な固体撮像素子を具えており、モニタモードが設定されたときに固体撮像素子を間引き読出しモードに設定することによって、１枚の画像を構成するライン数が減少して１画像分の電荷の読出しに必要な時間が短縮され、ＬＣＤにスムーズな動画を表示することが出来る。
【０００３】
又、静止画の撮影動作を繰り返す連続撮影動作が可能なデジタルスチルカメラが知られている。
図５は、上記間引き読出しモードと撮像面を構成する全ての画素の電荷を３つのフィールドに分けて読み出すフレーム読出しモードの設定が可能な固体撮像素子を具えたデジタルスチルカメラの連続撮影動作を表わしている。尚、図５中のＶＤは垂直同期パルスである。
【０００４】
モニタモードが設定されている状態では、１垂直期間に固体撮像素子の撮像面の露光が行なわれ、次の垂直期間に、固体撮像素子が間引き読出しモードに設定されて画素に蓄積された電荷の転送が行なわれると共に、転送された電荷から画像表示装置に表示すべき表示画像を作成する処理(表示処理)が行なわれ、次の垂直期間に、前記作成された表示画像が画像表示装置に表示される。この一連の処理、即ち、露光、転送、表示画像の作成及び表示からなる一連の処理が１垂直期間ずつずらして繰り返されることによって、１垂直期間の周期で固体撮像素子(１)により画像が撮影されて画像表示装置に表示されることになる。
【０００５】
上述の如くモニタモードが設定されている状態で、連続撮影を行なうための操作が行なわれると、先ず第１の垂直期間(＃１Ｖ)に、固体撮像素子の撮像面の露光が行なわれた後、固体撮像素子がフレーム読出しモードに設定されて、第２〜第４の垂直期間(＃２Ｖ〜＃４Ｖ)にそれぞれ、第１フィールド目、第２フィールド目及び第３フィールド目の電荷の転送が行なわれる。例えば、第１フィールドで第３ｎ−２番目(ｎ＝１，２，３・・・)の複数の水平ラインの画素の電荷が転送され、第２フィールドで第３ｎ−１番目(ｎ＝１，２，３・・・)の複数の水平ラインの画素の電荷が転送され、第３フィールドで第３ｎ番目(ｎ＝１，２，３・・・)の複数の水平ラインの画素の電荷が転送される。続いて、第５〜第７の垂直期間(＃５Ｖ〜＃７Ｖ)に、前記第２〜第４の垂直期間に転送された３フィールド分の電荷から記録媒体に記録すべき記録画像を作成する処理(記録処理)が行なわれ、作成された記録画像が記録媒体に記録される。又、第５の垂直期間には固体撮像素子の撮像面の露光が行なわれ、第６〜第８の垂直期間(＃６Ｖ〜＃８Ｖ)にはそれぞれ第１フィールド目、第２フィールド目及び第３フィールド目の電荷の転送が行なわれる。その後、第９の垂直期間(＃９Ｖ)に、前記第６〜第８の垂直期間に転送された３フィールド分の電荷から記録画像を作成する処理が開始されると共に、固体撮像素子の撮像面の露光が行なわれる。以下同様にして、露光、転送及び記録画像の作成からなる一連の静止画撮影動作が繰り返される。この様にして、一連の静止画撮影動作が繰り返されることによって、複数枚の静止画が記録媒体に記録されることになる。この間、画像表示装置には、モニタモードにて最後に撮影された画像が表示される。
【０００６】
尚、連続撮影中に撮影した画像を縮小してなるマルチ画面をＬＣＤに表示することが可能なデジタルスチルカメラや、連続撮影によって画像メモリに格納された画像データを記録媒体へ転送する期間に該連続撮影によって得られた画像を表示する画像処理装置が提案されている(特許文献１及び２参照)。
又、連続撮影によって内部メモリに格納された画像データを外部記憶装置に書き込む際に、該連続撮影によって得られた画像をモニタに表示する記録画像表示方法が提案されている(特許文献３参照)。
【特許文献１】特開２００１−２３０９５９号公報[H04N 5/225]
【特許文献２】特開２００２−１１１９４２号公報[H04N 1/00]
【特許文献３】特開２００２−３００５１５号公報[H04N 5/91]
【発明の開示】
【発明が解決しようとする課題】
【０００７】
しかしながら、上記従来のデジタルスチルカメラにおいては、図５に示す如く、連続撮影動作中、画像表示装置にはモニタモードにて最後に撮影された画像が表示され、連続撮影動作中に撮影された画像は表示されないため、撮影された画像の写りが良好であるか否かを確認しつつ撮影を進めることが出来ない問題があった。
本発明の目的は、連続撮影時に撮影された画像の写りの良否を確認しつつ撮影を進めることが出来る撮影装置を提供することである。
【課題を解決するための手段】
【０００８】
本発明に係る撮影装置は、静止画の撮影動作を繰り返す連続撮影動作が可能であって、複数の画素からなる撮像面を具えて該複数の画素の電荷を複数のフィールドに分けて読み出すことが可能な固体撮像素子と、固体撮像素子から前記複数の画素の電荷を読み出す駆動回路と、読み出された電荷から記録媒体に記録すべき記録画像を作成する信号処理回路とを具え、固体撮像素子の撮像面を露光する処理と固体撮像素子から前記複数の画素の電荷を読み出す処理と記録画像を作成する処理とを含む一連の撮影処理が繰り返される。そして、該撮影装置は、固体撮像素子によって撮影した画像を表示する画像表示装置を具えており、前記信号処理回路は、記録画像の作成処理前或いは作成処理後に、電荷読出し処理によって前記複数のフィールドの一部のフィールドで読み出された電荷から表示画像を作成して前記画像表示装置に出力する表示画像処理手段を具えている。
【０００９】
上記本発明に係る撮影装置においては、連続撮影動作中、固体撮像素子から撮像面を構成する複数の画素の電荷が複数のフィールドに分けて読み出され、読み出された電荷から記録画像が作成されて記録媒体に記録されると共に、記録画像の作成処理前或いは作成処理後に、前記複数のフィールドの一部のフィールドで読み出された電荷から表示画像が作成され、作成された画像が画像表示装置に表示される。
ここで、前記固体撮像素子は、例えば複数の画素の電荷を３つのフィールドに分けて読み出すことが可能であって、３つのフィールドの内、１つのフィールドで読み出された電荷から表示画像が作成される。或いは、前記固体撮像素子は、複数の画素の電荷を４つのフィールドに分けて読み出すことが可能であって、４つのフィールドの内、２つのフィールドで読み出された電荷から表示画像が作成される。この様に、３ライン中１ライン分の電荷、或いは４ライン中２ライン分の電荷から表示画像が作成されることになるが、画素の間引き率は、上述の如く従来のデジタルスチルカメラのモニタモードにて設定される間引き読出しモードと同程度、或いは間引き読出しモードよりも低く、表示画像の画質が問題となることはない。
又、撮像面を構成する複数の画素の電荷の内、一部のフィールドで読み出された電荷から表示画像が作成されるので、全ての画素の電荷から表示画像が作成される構成に比べて、表示画像の作成に利用される画像情報が減少して表示画像の作成にかかる時間が短縮され、単位時間当たりに多数の撮影画像を得ることが出来る。
【００１０】
具体的には、前記信号処理回路の表示画像処理手段は、電荷読出し処理中に表示画像の作成処理を行なう。
【００１１】
上記具体的構成においては、電荷読出し処理中に表示画像の作成処理が行なわれるので、上記従来のデジタルスチルカメラと同様に電荷読出し処理が終了した時点で記録画像の作成処理を開始することが出来る。従って、単位時間当たりに従来と同じ枚数の撮影画像を得ることが出来る。
【発明の効果】
【００１２】
本発明に係る撮影装置によれば、連続撮影時に撮影された画像が画像表示装置に表示されるので、撮影された画像の写りの良否を確認しつつ撮影を進めることが出来る。
【発明を実施するための最良の形態】
【００１３】
以下、本発明をＣＣＤからなる固体撮像素子を具えたデジタルスチルカメラに実施した形態につき、図面に沿って具体的に説明する。
本発明に係るデジタルスチルカメラは、図２に示すインターライン転送方式の固体撮像素子(１)を具えており、該固体撮像素子(１)においては、マトリクス状に配列された複数のフォトセンサ上にベイヤー方式に従った色フィルタアレイを設けて、複数の画素(11)からなる撮像面を形成すると共に、垂直方向に配列された複数列の画素(11)の電荷を垂直方向に転送する複数の垂直レジスタ(12)と、これらの垂直レジスタ(12)によって転送された電荷を１水平期間の周期で出力する水平レジスタ(13)とが設けられている。
【００１４】
上記固体撮像素子(１)には、第１の位相を有する第１垂直転送パルスＶφ１の入力端子８、第２の位相を有する第２垂直転送パルスＶφ２の入力端子７、第３の位相を有する一対の第３垂直転送パルスＶφ３Ａ及びＶφ３Ｂの入力端子６、５、第４の位相を有する第４垂直転送パルスＶφ４の入力端子４、第５の位相を有する一対の第５垂直転送パルスＶφ５Ａ及びＶφ５Ｂの入力端子３、２、及び第６の位相を有する第６垂直転送パルスＶφ６の入力端子１が設けられている。これらの入力端子に各垂直転送パルスが供給されることによって、垂直レジスタ(12)に蓄積された電荷が水平レジスタ(13)に転送される。
又、該固体撮像素子(１)には、一対の第１水平転送パルスＨφ１Ａ及びＨφ１Ｂの入力端子21、16と、第１水平転送パルスを反転してなる一対の第２水平転送パルスＨφ２Ａ及びＨφ２Ｂの入力端子22、17とが設けられている。これらの入力端子に各水平転送パルスが供給されることによって、垂直レジスタ(12)から水平レジスタ(13)に転送された電荷が外部に出力される。
【００１５】
図１は、本発明に係るデジタルスチルカメラの構成を表わしている。上記固体撮像素子(１)には、垂直転送駆動回路(２)及び水平転送駆動回路(３)が接続されており、垂直転送駆動回路(２)から上記の第１垂直転送パルスＶφ１、第２垂直転送パルスＶφ２、一対の第３垂直転送パルスＶφ３Ａ、Ｖφ３Ｂ、第４垂直転送パルスＶφ４、一対の第５垂直転送パルスＶφ５Ａ、Ｖφ５Ｂ、及び第６垂直転送パルスＶφ６が供給されると共に、水平転送駆動回路(３)から一対の第１水平転送パルスＨφ１Ａ、Ｈφ１Ｂ、及び一対の第２水平転送パルスＨφ２Ａ、Ｈφ２Ｂが供給される。
【００１６】
垂直転送駆動回路(２)及び水平転送駆動回路(３)には、タイミングジェネレータ(ＴＧ)(４)が接続されている。
タイミングジェネレータ(４)では、第１垂直タイミングパルス、第２垂直タイミングパルス、一対の第３垂直タイミングパルス、第４垂直タイミングパルス、一対の第５垂直タイミングパルス、第６垂直タイミングパルス及び電荷読出しパルスが作成され、これらのパルスが垂直転送駆動回路(２)に供給される。又、一対の第１水平タイミングパルス及び一対の第２水平タイミングパルスが作成され、これらのパルスが水平転送駆動回路(３)に供給される。
垂直転送駆動回路(２)では、タイミングジェネレータ(４)から得られる電荷読出しパルス及び第１〜第６垂直タイミングパルスから第１〜第６垂直転送パルスＶφ１、Ｖφ２、Ｖφ３Ａ、Ｖφ３Ｂ、Ｖφ４、Ｖφ５Ａ、Ｖφ５Ｂ及びＶφ６が作成され、作成されたパルスが固体撮像素子(１)に供給される。一方、水平転送駆動回路(３)では、タイミングジェネレータ(４)から得られる一対の第１水平タイミングパルス及び一対の第２水平タイミングパルスを増幅することによって一対の第１水平転送パルスＨφ１Ａ、Ｈφ１Ｂ及び一対の第２水平転送パルスＨφ２Ａ、Ｈφ２Ｂが作成され、これらのパルスが固体撮像素子(１)に供給される。
【００１７】
又、固体撮像素子(１)から得られるＣＣＤ出力は、サンプリング部ＣＤＳ及びゲイン制御部ＡＧＣからなるＣＤＳ／ＡＧＣ回路(５)及びＡ／Ｄコンバータ(６)を経て画像処理回路(７)に供給される。画像処理回路(７)は、Ａ／Ｄコンバータ(６)からの入力信号をＳＤＲＡＭ(70)に格納すると共に、該入力信号に画像表示のための所定の信号処理を施して表示画像を作成し、該表示画像を一旦ＳＤＲＡＭ(70)に格納した後、ＳＤＲＡＭ(70)から読み出してＬＣＤ(８)に出力する。又、画像処理回路(７)は、上述の如くＳＤＲＡＭ(70)に格納した入力信号をＳＤＲＡＭ(70)から読み出して、読み出した信号に画像記録のための所定の信号処理を施して記録画像を作成し、該記録画像を記録媒体(図示省略)に記録する。
前記ＣＤＳ／ＡＧＣ回路(５)には、タイミングジェネレータ(４)から、ＣＣＤ出力をサンプリングするためのサンプリング信号ＳＨＰ、ＳＨＤが供給され、Ａ／Ｄコンバータ(６)には、タイミングジェネレータ(４)から、Ａ／Ｄ変換のためのサンプリング信号ＡＤＣＫが供給される。
【００１８】
前記タイミングジェネレータ(４)及び前記画像処理回路(７)には、制御回路(９)が接続されており、制御回路(９)には、シャッターボタン(10)が接続されている。
制御回路(９)は、画像処理回路(７)から固体撮像素子(１)の有効領域の画像信号(輝度信号)を取得して該画像信号の信号レベルを検出し、その検出結果に基づいて露光時間を算出する。そして、その算出結果に応じてタイミングジェネレータ(４)の動作を制御する。
【００１９】
上記本発明に係るデジタルスチルカメラは、従来と同様に、モニタモードの設定及び連続撮影動作が可能であって、上記固体撮像素子(１)は、間引き読出しモードと撮像面を構成する全ての画素の電荷を３つのフィールドに分けて読み出すフレーム読出しモードの設定が可能であり、モニタモードが設定されたときに間引き読出しモードに設定される一方、連続撮影動作時にフレーム読出しモードに設定される。
そして、上記本発明に係るデジタルスチルカメラにおいては、連続撮影動作中に前記３つのフィールドの内、１フィールド分の画像情報を用いて画像表示を行なうことが可能であって、前記画像処理回路(７)は、連続撮影を行なうための操作が行なわれると、Ａ／Ｄコンバータ(６)から入力される３フィールド分の信号を順次ＳＤＲＡＭ(70)に格納し、ＳＤＲＡＭ(70)から１フィールド分の信号を読み出して該信号から１枚の静止画を作成し、作成した静止画をＬＣＤ(８)に出力する。尚、ＳＤＲＡＭ(70)がＡ／Ｄコンバータ(６)及び画像処理回路(７)に接続されている構成においては、Ａ／Ｄコンバータ(６)から、３フィールド分の信号が順次ＳＤＲＡＭ(70)に供給されて格納されると共に、該３フィールド分の信号の内、１フィールド分の信号が画像処理回路(７)に供給されて該信号から静止画が作成される。
その後、画像処理回路(７)は、ＳＤＲＡＭ(70)から３フィールド分の信号を読み出して該信号から１枚の静止画を作成し、作成した静止画を記録媒体に記録する。この様に、前記画像処理回路(７)は、１フィールド分の信号から１枚の静止画を作成してＬＣＤ(８)に出力する処理と３フィールド分の信号から１枚の静止画を作成して記録媒体に記録する処理とを繰り返す。
【００２０】
図３は、上記本発明に係るデジタルスチルカメラの連続撮影動作を表わしている。尚、図３中、ＶＤは垂直同期パルスである。
モニタモードが設定されている状態では、１垂直期間に固体撮像素子(１)の撮像面の露光が行なわれ、次の垂直期間に、固体撮像素子(１)が間引き読出しモードに設定されて画素に蓄積された電荷の転送が行なわれ、これによってＡ／Ｄコンバータ(６)から得られる信号からＬＣＤ(８)に表示すべき表示画像を作成してＳＤＲＡＭ(70)に格納する処理(表示処理)が行なわれる。そして、次の垂直期間に、前記作成された表示画像がＬＣＤ(８)に表示される。この一連の処理、即ち、露光、転送、表示画像の作成及び表示からなる一連の処理が１垂直期間ずつずらして繰り返されることによって、１垂直期間の周期で固体撮像素子(１)により画像が撮影されてＬＣＤ(８)に表示されることになる。
【００２１】
上述の如くモニタモードが設定されている状態で、連続撮影を行なうための操作が行なわれると、先ず第１の垂直期間(＃１Ｖ)に、固体撮像素子(１)の撮像面の露光が行なわれた後、固体撮像素子(１)がフレーム読出しモードに設定されて、第２〜第４の垂直期間(＃２Ｖ〜＃４Ｖ)にそれぞれ、第１フィールド目、第２フィールド目及び第３フィールド目の電荷の転送が行なわれ、これによってＡ／Ｄコンバータ(６)から得られる信号がＳＤＲＡＭ(70)に格納される。例えば、第１フィールドで第３ｎ−２番目(ｎ＝１，２，３・・・)の複数の水平ラインの画素の電荷が転送され、第２フィールドで第３ｎ−１番目(ｎ＝１，２，３・・・)の複数の水平ラインの画素の電荷が転送され、第３フィールドで第３ｎ番目(ｎ＝１，２，３・・・)の複数の水平ラインの画素の電荷が転送される。又、第４の垂直期間には、ＳＤＲＡＭ(70)から前記第３フィールド目の信号を読み出してＬＣＤ(８)に表示すべき表示画像を作成する処理(表示処理)が行なわれる。
【００２２】
続いて第５〜第７の垂直期間(＃５Ｖ〜＃７Ｖ)に、ＳＤＲＡＭ(70)から第２〜第４の垂直期間に格納された３フィールド分の信号を読み出して記録媒体に記録すべき記録画像を作成する処理(記録処理)が行なわれ、作成された記録画像が記録媒体に記録される。又、第５の垂直期間には、第４の垂直期間に作成された表示画像がＬＣＤ(８)に表示される。ここで、表示画像は上述の如く３ライン中１ライン分の信号から作成されているが、画素の間引き率はモニタモードにて設定される間引き読出しモードよりも低く、画質が問題となることはない。
【００２３】
更に、第５の垂直期間には、固体撮像素子(１)の撮像面の露光が行なわれ、第６〜第８の垂直期間(＃６Ｖ〜＃８Ｖ)にそれぞれ第１フィールド目、第２フィールド目及び第３フィールド目の電荷の転送が行なわれ、これによってＡ／Ｄコンバータ(６)から得られる信号がＳＤＲＡＭ(70)に格納される。又、第８の垂直期間には、ＳＤＲＡＭ(70)から前記第３フィールド目の信号を読み出して表示画像を作成する処理が行なわれる。
その後、第９の垂直期間(＃９Ｖ)には、ＳＤＲＡＭ(70)から第６〜第８の垂直期間に格納された３フィールド分の信号を読み出して記録画像を作成する処理が開始されると共に、第８の垂直期間に作成された表示画像がＬＣＤ(８)に表示される。又、固体撮像素子(１)の撮像面の露光が行なわれる。以下同様にして、露光、転送、表示画像の作成、記録画像の作成、及びＬＣＤ(８)への画像表示が繰り返される。
上述の如く、ユーザにより連続撮影操作が行なわれると、露光、転送及び記録画像の作成からなる一連の静止画撮影動作が繰り返されて、複数枚の静止画が記録媒体に記録されることになる。又、記録画像の作成処理前の垂直期間に第３フィールド目の信号から表示画像を作成する処理が行なわれて、次の垂直期間に該表示画像がＬＣＤ(８)に表示される。この様にして、撮影された画像がＬＣＤ(８)に表示されることになる。尚、第１〜第４の垂直期間には、モニタモードにて撮影された画像がＬＣＤ(８)に表示される。
【００２４】
本発明に係るデジタルスチルカメラにおいては、上述の如く、連続撮影時に撮影された画像がＬＣＤ(８)に表示されるので、撮影された画像の写りの良否を確認しつつ撮影を進めることが出来る。
又、第３フィールド目の電荷の転送処理中に表示画像の作成処理が行なわれるので、図５に示す従来のデジタルスチルカメラと同様に３フィールド分の電荷の転送処理が終了した時点で記録画像の作成処理を開始することが出来、単位時間当たりに従来と同じ枚数の静止画を得ることが出来る。
【００２５】
尚、本発明の各部構成は上記実施の形態に限らず、特許請求の範囲に記載の技術的範囲内で種々の変形が可能である。
例えば上記実施の形態では、３つのフィールドの内、第３フィールドで読み出された電荷から表示画像を作成しているが、第１フィールド或いは第２フィールドで読み出された電荷から表示画像を作成することも可能である。
【００２６】
又、上記固体撮像素子に代えて、撮像面を構成する複数の画素の電荷を２つのフィールドに分けて読み出すことが可能な固体撮像素子や、図４に示す如く４つのフィールドに分けて読み出すことが可能な固体撮像素子を採用することも可能である。４つのフィールドに分けて読み出すことが可能な固体撮像素子を具えた構成においては、４つのフィールドの内、Ｒ、Ｇ、Ｂの全色の画素の電荷が揃う２つのフィールドで読みされた電荷から表示画像が作成される。この様な２つのフィールドの組合せとして、第１フィールドと第２フィールドの組合せ、第１フィールドと第４フィールドの組合せ、第２フィールドと第３フィールドの組合せが採用可能である。尚、ＳＤＲＡＭ(70)がＡ／Ｄコンバータ(６)及び画像処理回路(７)に接続されている構成においては、例えば、表示画像の作成に用いられる２フィールド分の信号の内、一方のフィールドの信号はＡ／Ｄコンバータ(６)からＳＤＲＡＭ(70)に供給されて格納された後、画像処理回路(７)に読み出されるのに対し、他方のフィールドの信号はＡ／Ｄコンバータ(６)から画像処理回路(７)に供給され、画像処理回路(７)では、ＳＤＲＡＭ(70)から読み出した信号とＡ／Ｄコンバータ(６)から供給された信号とから表示画像が作成される。これによって、２フィールド分の信号を一旦ＳＤＲＡＭ(70)に格納した後に読み出して該信号から表示画像を作成する構成に比べて、早い時点で表示画像の作成を開始することが出来る。尚、２フィールド分の信号を一旦ＳＤＲＡＭ(70)に格納した後に読み出して該信号から表示画像を作成する構成においては、該２フィールド分の信号がＳＤＲＡＭ(70)に格納された時点で表示画像の作成を開始することが可能である。
【図面の簡単な説明】
【００２７】
【図１】本発明を実施したデジタルスチルカメラの構成を表わすブロック図である。
【図２】固体撮像素子の構成を表わすブロック図である。
【図３】上記デジタルスチルカメラの連続撮影動作を表わすタイムチャートである。
【図４】他の実施例のデジタルスチルカメラの連続撮影動作を表わすタイムチャートである。
【図５】従来のデジタルスチルカメラの連続撮影動作を表わすタイムチャートである。
【符号の説明】
【００２８】
(１)  固体撮像素子
(２)  垂直転送駆動回路
(３)  水平転送駆動回路
(４)  タイミングジェネレータ
(５)  ＣＤＳ／ＡＧＣ回路
(６)  Ａ／Ｄコンバータ
(７)  画像処理回路
(70)  ＳＤＲＡＭ
(８)  ＬＣＤ
(９)  制御回路
(10)  シャッターボタン
【図１】
2007074475.tif 000003
【図２】
2007074475.tif 000004
【図３】
2007074475.tif 000005
【図４】
2007074475.tif 000006
【図５】
2007074475.tif 000007